(57)【要約】中心に管腔を有し、同管腔内に長尺状部材の一部が嵌まるフレームと、同フレームから第２の方向に延び、ロック位置および解放位置の間で移動可能な１個以上のレバーと、前記フレームから第１の方向に延び、前記１個以上のレバーによりロック位置および解放位置の間で移動可能な１個以上のタブとを備え、ロック要素が、第２の断面から見て第２の方向において、長尺状部材上に配置されると、ロック要素がロック位置に配置されたときに、前記１個以上のタブが、ロック要素が第１の断面を越えて第１の方向へ移動することを妨げ、ロック要素が解放位置に配置されたときに、１個以上のタブが、ロック要素が第１の方向へ移動することが妨げられないロック要素。
2006507091.tif 000002
【特許請求の範囲】
【請求項１】
長手中心軸と、第１の周を有する第１の断面部分と、第２の周を有する第２の断面部分とを有するとともに、前記第２の周の一部は、前記第１の周の一部よりも前記長手中心軸までの距離が短い長尺状部材に対して、医療器具を固定するためのロック要素であって、
前記長尺状部材の一部が嵌まる管腔が中心に形成されたフレームと、
前記フレームから第２の方向に延び、ロック位置および解放位置の間で移動可能な１個以上のレバーと、
前記フレームから第１の方向に延び、前記１個以上のレバーによってロック位置および解放位置の間で移動可能な１個以上のタブとを備え、
前記ロック要素が第２の断面部分から見て第２の方向における長尺状部材上に配置されると、ロック位置に配置されたときに、１個以上のタブが、ロック要素が第１の断面部分を越えて第１の方向へ移動することを妨げ、解放位置に配置されたときに、ロック要素が第１の方向へ移動することが妨げられないロック要素。
【請求項２】
前記ロック要素がモノリシック構造である請求項１に記載の要素。
【請求項３】
前記１個以上のレバーが、第２の断面部分から見て第２の方向にあるときには、第２の断面部分から見て第２の方向において、前記１個以上のレバーと前記長尺状部材の一部との間に空隙が生ずる請求項２に記載の要素。
【請求項４】
前記１個以上のレバーがロック位置にあるときには、前記１個以上のレバーおよび長尺状部材の間に形成される空隙が第２の方向に向かって大きくなる請求項３に記載の要素。
【請求項５】
前記タブがロック位置にあるときには、１個以上のタブの一部が第１の周の外側に嵌ることができない請求項１に記載の要素。
【請求項６】
前記ロック要素が、第２の断面部分から見て第２の方向における長尺状部材上に配置されたときに、前記レバーは、ロック位置にあるときよりも、解放位置にあるときの方が長尺状部材に接近し、前記タブは、解放位置にあるときよりも、ロック位置にあるときの方が長尺状部材に接近する、請求項１に記載の要素。
【請求項７】
前記レバーをロック位置から解放位置に移動させることにより、前記タブがロック位置から解放位置へ移動される請求項６に記載の要素。
【請求項８】
前記１個以上のレバーおよび前記１個以上のタブの数が同数である請求項１に記載の要素。
【請求項９】
前記１個以上の各タブは、タブの１個に対向する位置においてフレームから延びる請求項８に記載の要素。
【請求項１０】
前記ロック要素が、ロック要素を医療器具に対して連結するストラットをさらに備える請求項１に記載の要素。
【請求項１１】
前記ストラットが中心要素に対して連結される請求項１０に記載の要素。
【請求項１２】
ストラットが前記ロック要素から第２の方向へ延びる請求項１０に記載の要素。
【請求項１３】
前記ストラットが前記レバーに対して連結される請求項１２に記載の要素。
【請求項１４】
前記ロック要素が可撓性を有する材料からなる請求項１に記載の要素。
【請求項１５】
前記ロック要素が超弾性材料からなる請求項１４に記載の要素。
【請求項１６】
前記ロック要素がニッケル−チタン合金からなる請求項１５に記載の要素。
【請求項１７】
前記１個以上のレバーおよび前記１個以上のタブが、フレームの周囲において均一に分布される請求項１に記載の要素。
【請求項１８】
前記１個以上のタブが２個の対向するタブを備え、前記１個以上のレバーが２個の対向するレバーを備える、請求項１に記載の要素。
【請求項１９】
前記１個以上のタブが、３個の等しく離間されたタブを備え、前記１個以上のレバーが、３個の等しく離間されたレバーを備える、請求項１に記載の要素。
【請求項２０】
前記１個以上のレバーが、ある物体により第２の方向へ移動するように作動させられることが可能な請求項１に記載の要素。
【請求項２１】
前記１個以上のタブがロック位置に付勢される請求項１に記載の要素。
【請求項２２】
前記１個以上のレバーがロック位置に付勢される請求項１に記載の要素。
【請求項２３】
前記医療器具はフィルタである請求項１に記載の要素。
【請求項２４】
前記要素が、１個以上の放射線不透過バンドをさらに備える請求項１に記載の要素。
【請求項２５】
前記要素が、１個以上の長手方向に延びる縞状放射線不透過部をさらに備える請求項１に記載の要素。
【請求項２６】
前記１個以上のレバーが２個以上のレバーを備え、前記要素は、前記２個以上のレバーに対して連結される２個以上のセンタリングアームをさらに備え、前記レバーが解放位置に移動されたときに、前記２個以上のセンタリングアームが、前記長尺状部材を前記要素に対して中心側へ寄せる、請求項１に記載の要素。
【請求項２７】
選択的に医療器具を固定する装置であって、
長手中心軸と、第１の周を有する第１の断面部分と、第２の周を有する第２の断面部分とを備えるとともに、第１の断面部分から見て第２の方向に、１個以上のタブを受承するように構成される１個以上の表面を備える長尺状部材であって、前記第２の周の一部が、前記第１の周の一部よりも長手中心軸に近接していることと、
中心に管腔が形成されたフレームを有するロック要素であって、前記管腔内には前記長尺状部材の一部が嵌められることと、前記フレームから第２の方向に延びる１個以上のレバーは、ロック位置および解放位置の間で移動可能であり、フレームから第１の方向に延びる１個以上のタブは、前記１個以上のレバーによってロック位置および解放位置の間で移動可能であることとを備え、
第１の断面部分から見て第２の方向にある長尺状部材の一部は、ロック要素が第２の断面部分から見て第２の方向にある長尺状部材上に配置されたときに、１個以上のタブを受承するように構成されており、ロック位置にあるときには、前記１個以上のタブは、第１の断面部分を越えて第１の方向にロック要素が移動することを妨げるとともに、長尺状部材の周囲でロック装置が回転することを妨げることと、解放位置にあるときには、第１の方向へロック要素が移動することを妨げないこととからなる装置。
【請求項２８】
前記長尺状部材が、長手方向に延びる１個以上の縞状放射線不透過部をさらに備える請求項２７に記載の装置。
【請求項２９】
前記１個以上の表面が平坦である請求項２７に記載の装置。
【請求項３０】
前記１個以上の表面が、中央部と、これに近接し、長手方向に延びる１本以上の隆起部とを有する請求項２７に記載の装置。
【請求項３１】
前記１個以上の表面の各中央領域が、これに近接する２本の隆起部を有する請求項３０に記載の装置。
【請求項３２】
前記１個以上の表面の形状がタブの形状に合致する請求項２７に記載の装置。
【請求項３３】
前記１個以上の表面が、中央領域と、これに近接し、長手方向に延びる１本以上の溝とを有する請求項２７に記載の装置。
【請求項３４】
前記１個以上の表面の各中央領域が、これに近接し、長手方向に延びる２本の溝を有する請求項２７に記載の装置。
【請求項３５】
前記長尺状部材が、第２の方向側の端部近傍に停止部材を有する請求項２７に記載の装置。
【請求項３６】
長尺状部材上に医療器具を取り外し可能に固定する方法であって、
長手中心軸と、第１の周を有する第１の断面部分と、第２の周を有する第２の断面部分とを有する長尺状部材を準備する工程であって、第２の周の一部は、第１の周の一部よりも前記長手中心軸までの距離が短いことと、
前記長尺状部材の一部を嵌めることのできる管腔が形成されたフレームを有するロック要素と、前記フレームから第２の方向に延び、ロック位置および解放位置の間で作動可能な１個以上のレバーと、前記フレームから第１の方向に延び、前記１個以上のレバーによってロック位置および解放位置の間で作動可能な１個以上のタブとを準備する工程と、
前記長尺状部材の第１の端部上にあるロック要素に第１の断面部分を越えて第２の方向へ進行させる工程と
を含む方法。
【請求項３７】
前記ロック要素が第１の断面部分を越えて進行させられると、前記１個以上のタブがロック位置に移動する、請求項３６に記載の方法。
【請求項３８】
前記方法が、
前記レバーを解放位置へ作動させる工程と、
前記ロック要素を第１の断面部分を越えた第１の方向へ進行させる工程と
をさらに含む請求項３６に記載の方法。
【請求項３９】
前記長尺状部材を準備する工程は、１個以上のタブを受承するように構成された、第１の断面部分から見て第２の方向にある長尺状部材の１個以上の表面を準備する工程をさらに含み、前記ロック要素を進行させる工程は、タブがロック位置にあるときに、ロック装置が長尺状部材に対して回転しないように、１個以上のタブが前記表面の一つと位置が揃うようにロック要素を回転させる工程をさらに含む、請求項３６に記載の方法。
【請求項４０】
前記１個以上の表面を準備する工程が、１個以上の平坦な表面を準備する工程をさらに含む、請求項３９に記載の方法。
【請求項４１】
前記１個以上の表面を準備する工程が、中央部と、これに近接し、長手方向に延びる１本以上の隆起部とを有する１個以上の表面を準備する工程をさらに含む、請求項３９に記載の方法。
【請求項４２】
前記１個以上の表面を準備する工程が、中央に平坦な表面を準備する工程をさらに含む、請求項４１に記載の方法。
【請求項４３】
前記１個以上の表面を準備する工程が、中央にタブの形状に合致する形状の表面を準備する工程をさらに含む、請求項４１に記載の方法。
【請求項４４】
前記１個以上の表面を準備する工程が、長手方向に延びる２本の近接する隆起部を準備する工程をさらに含む、請求項４１に記載の方法。
【発明の詳細な説明】
【技術分野】
【０００１】
（発明の分野）
本発明は長尺状部材から医療器具を展開および回収するための装置および方法に関する。より詳細には、本発明は、長尺状部材上に医療器具を固定し、その後医療器具を解放するために使用される装置および方法に関する。
【発明の開示】
【０００２】
本発明の実施例は、フィルタや治療用搬送器具等の医療器具に対して連結可能であるとともに、ガイドワイヤ等の長尺状部材上に配置可能な、選択的に固定する要素に関する。この選択的に固定する要素は、医療器具が移行領域を通過した長尺状部材上に留まるように、医療器具を長尺状部材上に配置することを可能にする。長尺状部材は、選択的に固定する要素が固定を行うことができるように構成されるべきである。これは、長尺状部材の第１の領域の長手中心軸までの距離を、長手中心軸に沿った基端側領域の長手中心軸までの距離よりも短くすることにより可能になる。選択的に固定する要素とともに用いることができる長尺状部材としては、隆起領域を有するガイドワイヤが挙げられる。選択的に固定する要素は、１個以上のタブと、これに対応するレバーとを備えることができる。タブは、ロック位置および解放位置の間を移動し、レバーも対応するロック位置および解放位置間を移動する。タブは、予めロック位置に付勢されていてもよい。選択的に固定する要素が、第１の領域上を第１の長手方向に向かって移動されると、タブは、ロック位置に移動することができ、選択的に固定する要素が第２の長手方向へ向かって戻る動きを妨げる。カテーテルまたは他の物体を用いて、レバーを解放位置に移動させてもよい。レバーが解放位置に移動されることにより、タブが解放位置に移動され、選択的に固定する要素は第２の方向へ移動することができる。様々なセンタリング要素を用いることができる。例えば、センタリングアームをレバーに対して連結し、レバーが解放位置に移動されたときに、センタリングアームが、選択的に固定する要素を長尺状部材の周囲において中心に寄せるように配置してもよい。センタリングフレームが、第１の領域から見て第２の方向にあるガイドワイヤの一領域上を、選択的に固定する要素から第２の方向へ延びていてもよい。これにより、固定する要素が、長尺状部材に対して中心へ寄せられた状態に保持される。長尺状部材は、選択的に固定する要素を遠隔的に正しい方向へ指向させるべく使用できるように、回転を防止する特徴を備えていてもよい。これらの回転を防止する特徴は、長尺状部材上に１個以上の平坦な領域を備えていてもよく、あるいは、長手方向に延びる１本以上の溝または隆起部を備えていてもよい。径方向または長手方向に延びる放射線不透過マーカーを用いることもできる。これらの実施例および変更例、ならびに他の実施例と、これらの効果については、以下に述べる。
【発明を実施するための最良の形態】
【０００３】
（発明の詳細な説明）
以下の詳細な説明は、図面を参照して読まれるべきであり、各図面において、類似する要素には同様の符号が付されている。図面は、必ずしも寸法比率が等しいものではなく、選択された実施例を表すためのものであり、本発明の範囲を限定するものではない。提示される多くの例は、利用することができる好適な変更例を有していることが、当業者には理解されるであろう。
【０００４】
図１は、医療器具１０８に対して連結された本発明のロック要素１００の斜視図である。さらなる説明により容易に理解されるであろうが、医療器具１０８は、フィルタまたは治療用搬送器具等の任意の好適な医療器具とすることができる。ロック要素１００は、ロック位置および解放位置の間で移動するタブ１０２を備える。図１においては、タブ１０２はロック位置にある状態で示されており、本実施例においては、タブ１０２は、ロック位置に付勢されている。ロック要素１００は、ロック位置および解放位置の間で移動するレバー１０４も備える。図１においては、レバー１０４はロック位置にある状態で示されており、本実施例においては、レバー１０４は、ロック位置に付勢されている。タブ１０２およびレバー１０４は、内部に管腔１１０を有するフレーム１０６上に配置される。タブ１０２の自由端は、タブ１０２の固定端から見て第１の方向にある。同様に、タブ１０２の固定端は、タブ１０２の自由端から見て第２の方向にある。これらの方向は、記載される実施例を通じて同じ方向を指すものとする。センタリングアーム１１２は、レバー１０４の第２の方向にある端部に対して連結される。医療器具１０８は、フレーム１０６から第２の方向に延びるストラット１１４を介して、ロック要素１００に対して連結される。医療器具１０８が、他の手段を介してレバー１０４やセンタリングアーム１１２等に対して連結可能であることは、容易に理解されるであろう。
【０００５】
当然ながら、タブ１０２およびレバー１０４の数および形状は、図１に示されるものに限定されるものではない。図１においては３個のタブ１０２および３個のレバー１０４が示されているが、本発明は、例えばそれぞれ１個のタブ１０２およびレバー１０４を有する実施例についても意図するものである。同じく、本発明は、より多い数のタブ１０２またはレバー１０４を有する実施例についても意図するものであり、使用されるタブまたはレバーの数は、特定の実施例において技術的に考慮すべき事項によってのみ限定されるものとする。同様に、タブ１０２およびレバー１０４は、図１においては、長手方向において位置が揃った状態で示されているが、本発明は、タブ１０２およびレバー１０４の位置が揃っていない実施例についても意図するものである。タブ１０２およびレバー１０４の位置を揃えることは、本発明における本質的事項ではない。例えば、当然ながら、タブおよびレバーは、タブとレバーの数が異なる場合には、長手方向において位置が揃わない。タブおよびレバーは、１個以上のレバーがロック位置から解放位置へ移動することにより、１個以上のタブをロック位置から解放位置へ移動させるように、互いに対して連結される。図示される実施例においては、タブ１０２、レバー１０４、およびフレーム１０６は、モノリスユニットを形成する。レバー１０４がロック位置から解放位置へ移動されると、フレームを介してタブ１０２に力が伝達され、タブが解放位置へ移動される。なお、本発明は、レバーおよびタブを連結する他の手段についても想定するものである。このような手段の一例として、ギアまたはヒンジを用いて、ロッドに対してレバーを連結する方法が挙げられる。別の手段としては、レバーおよびタブをモノリシック構造とし、この構造をバネを用いてフレームに対して回動可能に連結し、ロック位置へ付勢してもよい。
【０００６】
ロック要素１００は、医療器具の径方向および長手方向における位置を容易に判別するために、放射線不透過性を有するバンドや長手方向に延びる縞状部等の要素を備えてもよい。
【０００７】
図２には、長尺状部材２１６上に配置されたロック要素１００が示される。長尺状部材２１６は、第１の方向に部分２１８を、第２の方向に部分２２０を有する。部分２１８と部分２２０の間に位置する移行部は、鋭いエッジがない、平滑な移行部として図示されている。この特徴は、移行部に必ずしも必要な特徴ではない。好適な移行部の他の例として、例えば、移行部には段差が設けられていてもよく、あるいは、移行部の形状が単なる円錐台であってもよい。図面においては、長尺状部材２１６は、均一の形状を有する円形の断面を有しているが、ロック要素１００は、必ずしもこの特徴を有する長尺状部材とともに用いなくてもよい。長尺状部材２１６は、長尺状部材の一部が第１の方向においてフレーム１０に内嵌される場所において、任意の断面形状を有することができる。断面形状は、例えば、矩形、三角形、またはいびつな形状であってもよい。部分２２０における断面形状は、部分２１０における断面形状より小さくなくてもよい。部分２２０は、部分２１８よりも周の長さが長くてもよく、部分２１８の断面積よりも大きな断面積を有していてもよい。重要なことは、部分２２０が表面領域を有しており、この表面領域においては、同領域から長尺状部材２１６の長手中心軸までの距離が、部分２１８の表面領域から前記長手中心軸までの距離よりも短い点である。したがって、長尺状部材の部分２２０に通路が形成されている場合には、例えば、長尺状部材は、ほぼ均一な円形断面を有していてもよい。同様に、長尺状部材の部分２２０が平板状をなし、これにより断面形状の厚みは小さくなるが幅が大きくなるようにしてもよい。長尺状部材が、ほぼ一定の断面形状を備えており、断面積が増加または減少する小さな領域を有していてもよい。
【０００８】
ロック要素１００は、長尺状部材２１６の部分２１８上に配置される。この部分においては、タブ１０２が長尺状部材２１６により外側へ移動されており、ロック要素が第１および第２の方向に自由に移動することができる。
【０００９】
図３に基づき説明する。ロック要素１００は、長尺状部材２１６の部分２２０上に配置される。タブ１０２は、ロック位置にあり、ロック要素１００が第１の方向に向かって部分２１８上へ移動することを妨げる。
【００１０】
図４に基づき説明する。ロック要素１００は、長尺状部材２１６の部分２２０上に配置される。カテーテル２２２は、ロック要素１００上を第２の方向に移動させられる。カテーテル２２２は、レバー１０４をロック位置から解放位置へ移動させる大きさを有する。レバー１０４が解放位置にあるとき、タブ１０２は解放位置に移動され、ロック要素１００が第１または第２の方向に自由に移動することができる。当然ながら、ロック要素１００は、必ずしもカテーテルを用いて作動させる必要はなく、本発明は、レバー１０４を移動させる他の手段についても意図するものである。例えば、レバー１０４は、手動で作動させてもよく、経時的に収縮された、或いは温度変化により収縮されたバンドで包まれていてもよい。レバーが解放位置にあるときに、センタリングアーム１１２の自由端は、長尺状部材２１６に当接し、ロック要素１００を長尺状部材２１６に対してほぼセンタリングする。これにより、ロック要素１００の取り外しが容易になる。
【００１１】
図５は、ロック要素１００とほぼ同様のロック要素５００を用いた実施例を示す斜視図である。ロック要素５００は、ストラット５１４によりフィルタ５２４に対して連結されるため、フィルタを、例えばガイドワイヤ上において、選択的に固定することができる。
【００１２】
図６は、本発明のロック要素６００を示す斜視図である。ロック要素６００は、２個のリム６２４を有する。各リム６２４は、タブ６０２及びレバー６０４を有する。レバー６０４は、ロック位置および解放位置の間で移動し、この移動により、タブ６０２がロック位置および解放位置の間で移動される。タブ６０２は、ロック位置に付勢されていてもよい。リム６２４は、フレーム６０６に対して連結されており、このフレーム６０６からは、第１および第２の方向にストラット６１４が延びていてもよい。ストラットに対し、チューブ６０８または医療器具が連結されていてもよい。ロック要素６００は、第１の方向には部分６１８を、第２の方向には部分６２０を有する長尺状部材６１６上に配置されていてもよい。部分６２０は、部分６１８の表面領域よりも長手軸により近い表面領域を有する。ロック要素６００が長尺状部材６１６の部分６２０上にあり、タブ６０２がロック位置にあるとき、ロック要素は、第１の方向に向かって部分６１８上へ移動することを妨げられる。ロック要素６００から第１の方向に延びるチューブ６０８が、センタリング機能を有していてもよい。ロック要素６００が部分６２０上にあり、タブ６０２がロック位置にあるとき、チューブは６１８上に留まることができ、これにより、ロック要素が長尺状部材に対してセンタリングされた状態に保たれる。
【００１３】
図７は、本発明のロック要素７００を示す斜視図である。ロック要素７００は、レバー７０４に対して連結されるタブ７０２を有する。当然ながら、本発明は、図７の実施例が１セットよりも多い数のタブおよびレバーを有することも想定している。レバー７０４は、ロック位置および解放位置の間で移動し、この移動により、タブ７０２がロック位置および解放位置の間で移動される。レバー７０４は、フレーム７０６に対して連結される。フレーム７０６から第２の方向にストラット７１４が延びており、ストラット７１４は、フィルタや治療用搬送システム等の医療器具に対して連結されていてもよい。ロック要素７００は、長尺状部材７１６上に配置される。長尺状部材は、部分７１８及び部分７２０を有する。部分７２０は、表面領域から長手中心軸までの距離が、部分７１８の表面領域から長手中心軸までの距離よりも短い表面領域を含む。部分７２０は、この表面領域の両側に配置される隆起部７２６も有する。タブ７０２は、ロック位置にあるときに、これらの隆起部内に嵌まるように構成されており、これにより、長尺状部材に対するロック要素の相対的な回転が妨げられる。この特徴は、ロック部材を指向させて遠隔的に医療器具に対して連結する際に有用となる場合がある。ロック要素７００は、長手方向に延びる縞状放射線不透過部７３０も備える。この縞状放射線不透過部は、ロック要素の位置を判定するために使用することができる。
【００１４】
図８は、長尺状部材８１６上に配置された、本発明のロック要素８００を示す斜視図である。ロック要素８００は、ロック位置および解放位置の間で移動可能なタブ８０２と、ロック位置および解放位置の間で移動可能なレバー８０４とを備える。タブ８０２およびレバー８０４は、フレーム８０６に対して連結される。ストラットが、フレームから両方向に延びて、医療器具または他の器具に対して連結されていてもよい。センタリング要素８１２は、レバー８０４に対して連結されていてもよい。レバー８０４が解放位置に移動されると、タブ８０２が解放位置に移動され、これにより、ロック要素８００が長尺状部材８１６の部分８１８上を移動可能となる。
【００１５】
図９は、長尺状部材９１６上に配置された、本発明のロック要素９００を示す斜視図である。ロック要素９００は、レバー９０４に対して連結されるタブ９０２を有する。当然ながら、本発明は、図９の実施例が１セットよりも多い数のタブおよびレバーを有することも想定している。レバー９０４は、ロック位置および解放位置の間で移動し、この移動により、タブ９０２がロック位置および解放位置の間で移動される。タブ９０２およびレバー９０４は、フレーム９０６に対して連結される。ストラットは、フレーム９０６から第２の方向に延びていてもよく、フレーム９０６は、フィルタや治療用搬送システム等の医療器具に対して連結されていてもよい。ロック要素９００は、長尺状部材９１６上に配置される。長尺状部材は、部分９１８及び部分９２０を有する。部分９２０は、表面領域から長手中心軸までの距離が、部分９１８の表面領域から長手中心軸までの距離よりも短い表面領域を含む。部分９２０は、部分９２０上に配置される溝９２８も有する。タブ９０２は、ロック位置にあっては溝９２８に嵌まるように構成されており、これにより、長尺状部材に対するロック要素の相対的な回転が妨げられる。この特徴は、ロック部材を指向させて遠隔的に医療器具に対して連結する際に有用となる場合がある。
【００１６】
使用時においては、ロック要素は、フィルタ、治療用搬送器具、またはその他の医療器具に対して連結されていてもよい。ロック要素は、長尺状部材上を先端方向に摺動されてもよい。長尺状部材は、第２の方向において、表面領域を備えた第２の部分を有する。この表面領域は、長尺状部材の第１の部分の表面領域よりも、長手中心軸までの距離が短い。ロック要素が第２の部分上にあるとき、１個以上のタブはロック位置に移動し、第１の方向への移動が妨げられる。その後、ロック装置を第１の方向へ移動可能とするために、レバーをロック位置から解放位置に移動させてもよく、この移動により、タブがロック位置から解放位置へ移動される。タブが解放位置にあるとき、ロック要素は、第１の方向に移動可能である。
【００１７】
図示される例のように、図５の選択的に固定するフィルタ装置が、患者に経皮的に挿入される、階段状に径が小さくなるガイドワイヤ上に配置された場合について考えてみる。なお、径が小さい部分は、径が大きい部分の先端側に位置するものとする。フィルタ装置を、フィルタの径を小さくするためにカテーテル内に配置して、先端方向へ向かって患者の体内へ進ませてもよい。フィルタ装置がガイドワイヤの径の大きな部分上にあるときには、タブは、ガイドワイヤにより解放位置に配置される。フィルタ装置が階段状の移行部を通過すると、タブは、ロック位置へ入り、カテーテルを抜去することができる。その後、カテーテルが再度フィルタ装置上を案内されることにより、レバーが解放位置に移動され、フィルタをガイドワイヤから離れるように基端側へ移動させることができる。
【００１８】
ロック要素は、任意の数の生体適合性材料で形成することができる。ロック要素が単一の場合には、フレームにおいて材料が屈曲する箇所の可撓性と、タブおよびレバーの剛性を所望どおりに組み合わせることができる。枚挙にいとまがないため、単に例として挙げるが、このような材料には、ステンレス鋼やニチノール等の金属や、ナイロンやポリ塩化ビニル等のプラスチックが含まれる。このような材料から、レーザ切断、成形、溶接、ロウ付け、またはその他従来技術において公知の方法を用いて、ロック要素またはその一部を形成することができる。
【００１９】
本願に開示されている事項が、多くの点において、単に例示的なものであることは理解されるであろう。構成に変更を加えることは可能であり、特に、形状、大きさ、材料、部品の配置については、本発明の範囲を逸脱することなく、変更可能である。  当業者には、本発明は、本願に記載され、意図される特定の実施例以外にも、様々な形態で実施できることが理解されるであろう。したがって、請求の範囲に記載される本発明の範囲および精神から逸脱することなく、形態および詳細を変更することができる。
【図面の簡単な説明】
【００２０】
【図１】本発明の一実施例を示す斜視図。
【図２】長尺状部材上に配置された図１の本発明の実施例を示す斜視図。
【図３】図２の長尺状部材の異なる部分上に配置された図１の本発明の実施例を示す斜視図。
【図４】カテーテル内に一部が配置された、図３の長尺状部材の部分上に配置された図１の本発明の実施例を示す斜視図。
【図５】フィルタに対して連結された図１の本発明の実施例を示す斜視図。
【図６】長尺状部材上に配置された本発明の一実施例を示す斜視図。
【図７】長尺状部材上に配置された本発明の一実施例を示す斜視図。
【図８】長尺状部材上に配置された本発明の一実施例を示す斜視図。
【図９】長尺状部材上に配置された本発明の一実施例を示す斜視図。
【図１】
2006507091.tif 000003
【図２】
2006507091.tif 000004
【図３】
2006507091.tif 000005
【図４】
2006507091.tif 000006
【図５】
2006507091.tif 000007
【図６】
2006507091.tif 000008
【図７】
2006507091.tif 000009
【図８】
2006507091.tif 000010
【図９】
2006507091.tif 000011
【国際調査報告】
2006507091.tif 000012
2006507091.tif 000013
2006507091.tif 000014
2006507091.tif 000015